(57)【要約】【課題】  特別な操作を行うことなくカバー体を開閉でき、かつ開状態における作業性を向上させることのできる光ファイバ収納ケースを提供する。【解決手段】  光ファイバ８ａを納める箱形のケース本体１と、それをヒンジ部３を介して縦方向に開閉自在に覆うカバー体２とからなり、ヒンジ部３はケース本体１の両側面にはそれぞれ回転軸１０を設け、カバー体２の両側面にはそれぞれ回転軸１０の軸受孔２１を設け、ケース本体１には回転軸１０の近傍に突起状の押圧部１１とストッパ部１２とを形成し、カバー体２には閉保持部２２と開保持部２３ａとを形成し、カバー体２を回転軸１０を中心に回動させると、カバー体２の側面は押圧部１１によりケース本体１の側面から離間されてストッパ部１２に乗上げ、カバー体２を開状態にすると、押圧部１１は開保持部２３ａに納められると共に、カバー体２はストッパ部１２に当接し保持される。【選択図】  図２
2005070515.tif 000002
【特許請求の範囲】
【請求項１】
光ファイバを納める箱形形状のケース本体と、それをヒンジ部を介して縦方向に開閉自在に覆うカバー体とからなる光ファイバ収納ケースにおいて、
上記ヒンジ部は上記ケース本体の両側面にそれぞれ回転軸を設けると共に、上記カバー体の両側面にそれぞれ上記回転軸の軸受孔を設けてなり、
上記ケース本体には上記回転軸の近傍に突起状の押圧部と、上記カバー体の開状態でカバー体を保持する突起状のストッパ部とを形成し、
上記カバー体には閉状態で上記押圧部を保持する閉保持部と、開状態で上記押圧部を保持する開保持部とを形成すると共に、上記閉保持部と開保持部は上記軸受孔を中心として上記カバー体の回転角度と略同角度をなして配置してなり、
上記カバー体を上記回転軸を中心に回動させると、上記カバー体の側面は上記押圧部により上記ケース本体の側面から離間されて上記ストッパ部に乗上げ、
上記カバー体を開状態にすると、上記押圧部は上記開保持部に納められると共に、上記カバー体は上記ストッパ部に当接し保持されることを特徴とする光ファイバ収納ケース。
【請求項２】
光ファイバを納める箱形形状のケース本体と、それをヒンジ部を介して縦方向に開閉自在に覆うカバー体とからなる光ファイバ収納ケースにおいて、
上記ヒンジ部は上記カバー体の両側面にそれぞれ回転軸を設けると共に、上記ケース本体の両側面にそれぞれ上記回転軸の軸受孔を設けてなり、
上記ケース本体には上記軸受孔の近傍に突起状の押圧部と、上記カバー体の開状態でカバー体を保持する突起状のストッパ部とを形成し、
上記カバー体には閉状態で上記押圧部を保持する閉保持部と、開状態で上記押圧部を保持する開保持部とを形成すると共に、上記閉保持部と開保持部は上記回転軸を中心として上記カバー体の回転角度と略同角度をなして配置してなり、
上記カバー体を上記回転軸を中心に回動させると、上記カバー体の側面は上記押圧部により上記ケース本体の側面から離間されて上記ストッパ部に乗上げ、
上記カバー体を開状態にすると、上記押圧部は上記開保持部に納められると共に、上記カバー体は上記ストッパ部に当接し保持されることを特徴とする光ファイバ収納ケース。
【請求項３】
上記押圧部とストッパ部は略同じ高さの突起状に形成されると共に、上記回転軸は上記押圧部及びストッパ部より高い突起状に形成されることを特徴とする請求項１または２に記載の光ファイバ収納ケース。
【請求項４】
上記カバー体は上記ケース本体の側面に対する当接面に上記軸受孔から周縁部に渡って肉厚を切欠いた薄肉部を形成してなり、該薄肉部の上記閉保持部側端部を開保持部としてなることを特徴とする請求項１記載の光ファイバ収納ケース。
【請求項５】
上記薄肉部は上記ヒンジ部側が周縁部側より肉厚に形成された傾斜面状とされてなることを特徴とする請求項４記載の光ファイバ収納ケース。
【請求項６】
上記カバー体は両側面にそれぞれ延出片を備え、該延出片に上記回転軸または軸受孔と閉保持部及び開保持部を形成してなることを特徴とする請求項１〜５のいずれか１項に記載の光ファイバ収納ケース。
【請求項７】
上記延出片はカバー体の開状態で上記ストッパ部に当接し保持される被保持面を有し、該被保持面はカバー体の閉状態で略水平面に形成されてなることを特徴とする請求項６記載の光ファイバ収納ケース。
【発明の詳細な説明】
【技術分野】
【０００１】
本発明は、ケース本体に対してカバー体を開閉自在に設けてなる光ファイバ収納ケースに関し、特にカバー体を開状態に固定しておくことのできるヒンジ構造を有する光ファイバ収納ケースに関する。
【背景技術】
【０００２】
従来から、通信等に用いられる光ファイバを屋外から集合住宅等の建物内に引き込む際に、光信号を電気信号に変換する光電変換部を納めると共に、光ファイバの余長分を収納、固定する光ファイバ収納ケースが建物外壁面に設けられる。このような光ファイバ収納ケースは、箱形形状からなるケース本体に対して、カバー体をヒンジを介して開閉自在に設けてなるものである。
【０００３】
光ファイバを建物内に引き込む場合には、あらかじめ光ファイバ収納ケースを建物外壁面に設置しておき、光ファイバの余長をその光ファイバ収納ケースに納めて固定すると共に、光ファイバの端部をケース内の光電変換部に接続する。このような従来の光ファイバ収納ケースとしては、例えば特許文献１に挙げるようなものがある。
【特許文献１】特開平１０−１３３０３０号公報
【発明の開示】
【発明が解決しようとする課題】
【０００４】
しかし、従来の光ファイバ収納ケースは、以下に述べる問題点を有していた。従来の光ファイバ収納ケースはカバー体を設けて開閉自在としているものの、開状態を固定しておくことはできないため、カバーとなる部分の位置が不安定になって、作業性を悪化させていた。カバーが上下方向に開閉自在とされている場合には、開状態としたカバーを作業中は常に支えていなければならず、さらに作業性が悪くなる。特に、上述した光ファイバ収納ケースは、建物外壁面の比較的高所に設けられるため、高所作業が必要であり、作業性の向上は特に望まれるところである。
【０００５】
このため出願人は、特願２００３−１６０６０２号において、ヒンジ部の軸を回転させる孔に保持部を設けて、カバー体の開状態で軸を保持して固定しておく構造を提案している。この場合には、カバー体を開状態とした後に、カバー体をスライドさせることで、ヒンジ部の軸を保持部に保持させるようにしている。逆にカバー体を閉じる場合には、再びカバー体をスライドさせ、軸を回転自在とした状態でカバー体を回動させる。
【０００６】
しかし、実際の作業においては、カバー体を閉じる際にカバー体をスライドさせることなく閉じてしまう場合がある。特に、光ファイバ収納ケースはプラスティック等で形成されるため、保持部はカバー体の重量を支えておくことはできても、外部からある程度の力が加わった場合には変形してしまい、軸を回転させてしまう。このようにして保持部が変形すると、それ以降はカバー体を開放した場合にそれを保持しておくことができなくなる。
【０００７】
本発明は、上記課題を鑑みてなされたものであり、特別な操作を行うことなくカバー体を開閉でき、かつ開状態における作業性を向上させることのできる光ファイバ収納ケースを提供することを目的とする。
【課題を解決するための手段】
【０００８】
上記課題を解決するため、本発明に係る光ファイバ収納ケースは、光ファイバを納める箱形形状のケース本体と、それをヒンジ部を介して縦方向に開閉自在に覆うカバー体とからなる光ファイバ収納ケースにおいて、
上記ヒンジ部は上記ケース本体の両側面にそれぞれ回転軸を設けると共に、上記カバー体の両側面にそれぞれ上記回転軸の軸受孔を設けてなり、
上記ケース本体には上記回転軸の近傍に突起状の押圧部と、上記カバー体の開状態でカバー体を保持する突起状のストッパ部とを形成し、
上記カバー体には閉状態で上記押圧部を保持する閉保持部と、開状態で上記押圧部を保持する開保持部とを形成すると共に、上記閉保持部と開保持部は上記軸受孔を中心として上記カバー体の回転角度と略同角度をなして配置してなり、
上記カバー体を上記回転軸を中心に回動させると、上記カバー体の側面は上記押圧部により上記ケース本体の側面から離間されて上記ストッパ部に乗上げ、
上記カバー体を開状態にすると、上記押圧部は上記開保持部に納められると共に、上記カバー体は上記ストッパ部に当接し保持されることを特徴として構成されている。
【０００９】
また、本発明に係る光ファイバ収納ケースは、光ファイバを納める箱形形状のケース本体と、それをヒンジ部を介して縦方向に開閉自在に覆うカバー体とからなる光ファイバ収納ケースにおいて、
上記ヒンジ部は上記カバー体の両側面にそれぞれ回転軸を設けると共に、上記ケース本体の両側面にそれぞれ上記回転軸の軸受孔を設けてなり、
上記ケース本体には上記軸受孔の近傍に突起状の押圧部と、上記カバー体の開状態でカバー体を保持する突起状のストッパ部とを形成し、
上記カバー体には閉状態で上記押圧部を保持する閉保持部と、開状態で上記押圧部を保持する開保持部とを形成すると共に、上記閉保持部と開保持部は上記回転軸を中心として上記カバー体の回転角度と略同角度をなして配置してなり、
上記カバー体を上記回転軸を中心に回動させると、上記カバー体の側面は上記押圧部により上記ケース本体の側面から離間されて上記ストッパ部に乗上げ、
上記カバー体を開状態にすると、上記押圧部は上記開保持部に納められると共に、上記カバー体は上記ストッパ部に当接し保持されることを特徴として構成されている。
【００１０】
さらに、本発明に係る光ファイバ収納ケースは、上記押圧部とストッパ部は略同じ高さの突起状に形成されると共に、上記回転軸は上記押圧部及びストッパ部より高い突起状に形成されることを特徴として構成されている。
【００１１】
さらにまた、本発明に係る光ファイバ収納ケースは、上記カバー体は上記ケース本体の側面に対する当接面に上記軸受孔から周縁部に渡って肉厚を切欠いた薄肉部を形成してなり、該薄肉部の上記閉保持部側端部を開保持部としてなることを特徴として構成されている。
【００１２】
そして、本発明に係る光ファイバ収納ケースは、上記薄肉部は上記ヒンジ部側が周縁部側より肉厚に形成された傾斜面状とされてなることを特徴として構成されている。
【００１３】
また、本発明に係る光ファイバ収納ケースは、上記カバー体は両側面にそれぞれ延出片を備え、該延出片に上記回転軸または軸受孔と閉保持部及び開保持部を形成してなることを特徴として構成されている。
【００１４】
さらに、本発明に係る光ファイバ収納ケースは、上記延出片はカバー体の開状態で上記ストッパ部に当接し保持される被保持面を有し、該被保持面はカバー体の閉状態で略水平面に形成されてなることを特徴として構成されている。
【発明の効果】
【００１５】
本発明に係る光ファイバ収納ケースによれば、ケース本体は両側面に突起状の押圧部と、カバー体の開状態でカバー体を保持する突起状のストッパ部とを有し、カバー体は閉状態において押圧部を保持する閉保持部と、開状態において押圧部を保持する開保持部とを有すると共に、閉保持部と開保持部は回転軸を中心としてカバー体の回転角度と略同角度をなして配置するので、カバー体を回動させる際に、押圧部によりカバー体をケース本体から離間させることができ、それによってストッパ部に干渉されることなく開閉動作を行うことができる。一方、カバー体を開状態とした際には、押圧部は開保持部に納められ、カバー体はケース本体に当接するので、ケース本体のストッパ部により保持固定されて、開状態を維持することができる。
すなわち、カバー体の開閉動作時だけカバー体をケース本体から離間させることで、開状態または閉状態の際にはカバー体を十分に保持しておくことができると共に、開閉動作をスムーズに行うことができ、しかも開閉動作のために特別な操作を行うこともないので、光ファイバの建物に対する引き込みにおける作業性を向上させることができる。
【００１６】
また、本発明に係る光ファイバ収納ケースによれば、カバー体はケース本体に対する当接面にヒンジ部から周縁部に渡って肉厚を切欠いた薄肉部を形成し、薄肉部の閉保持部側端部を開保持部としたことにより、カバー体をケース本体に組付けるのが容易であると共に、薄肉部を開保持部と兼用しているので、ヒンジ部をコンパクトに形成することができる。
【００１７】
さらに、本発明に係る光ファイバ収納ケースによれば、薄肉部はヒンジ部側が周縁部側より肉厚に形成された傾斜面状とされたことにより、カバー体をケース本体に組付ける場合には回転軸を軸受孔に対し容易に差込むことができる一方で、一旦カバー体をケース本体に組付けたら外れにくくすることができる。
【００１８】
さらにまた、押圧部とストッパ部は略同じ高さの突起状に形成されると共に、回転軸は押圧部及びストッパ部より高い突起状に形成されることにより、押圧部によってカバー体がケース本体から離間される高さとストッパ部の高さが略同じとなるので、カバー体を回動時にはストッパ部に乗上げやすくすることができ、また回転軸は押圧部やストッパ部より高いので、カバー体がケース本体から外れることもなく、スムーズにカバー体の開閉動作を行うことができる。
【００１９】
そして、本発明に係る光ファイバ収納ケースによれば、カバー体は両側面にそれぞれ延出片を備え、その延出片にヒンジ部と閉保持部及び開保持部を形成したことにより、ケース本体に干渉することなくカバー体を開閉動作させることができる。
【００２０】
また、本発明に係る光ファイバ収納ケースによれば、延出片はカバー体の開状態でストッパ部に当接保持される被保持面を有し、この被保持面はカバー体の閉状態で略水平面に形成されてなることにより、カバー体を開状態で確実にストッパ部により保持しておくことができると共に、カバー体の閉状態で延出片の上面を略水平状にすることで、延出片をコンパクトなものにすることができる。
【発明を実施するための最良の形態】
【００２１】
本発明の実施形態について、図面に沿って詳細に説明する。図１は本実施形態における光ファイバ収納ケースの正面図であり、図２はその右側面図である。また、図３は光ファイバ収納ケースの開状態における正面図である。これら各図において、本実施形態における光ファイバ収納ケースは、一面を開口とした箱形形状に形成されたケース本体１に、その開口を覆うカバー体２を上下方向に開閉自在となるようにヒンジ部３を介して設け、ケース本体１の内部には光電変換部６及び収容トレイ５を納めてなるものである。
【００２２】
また、ケース本体１の底面には、光ファイバの引込口４と光電変換部６の出力端子７を設けている。この光ファイバ収納ケースは、集合住宅等の建物の室外壁に設けられ、インターネット通信などの光通信を行うための光ファイバ８ａを室外側から引き込んでその余長分を収納、固定すると共に、光信号と電気信号を光電変換部６により相互に変換して出力するものである。
【００２３】
光ケーブル８は、屋外において電柱等から建物に引込まれる。屋外から建物に光ケーブル８を引き込むには、電柱から建物の近傍に対して光ケーブル８をある程度の余長を持って引き、カバー体２を開状態として、引込口４からケース本体１内に引込むと共に、その余長分を固定・収納する。図３に示すように、ケース本体１内においては、光ケーブル８の被覆を除いて、光ファイバ８ａの状態にして収納する。そして、光ファイバ８ａの先端には光ファイバ端子８ｂが設けられており、これをケース本体１に納められた光電変換部６に接続する。
【００２４】
光ファイバ８ａを収納するために、トレイ状に形成された収容トレイ５を光ファイバ収納ケースとは別体として設けて、これをケース本体１内に納めて固定する。収容トレイ５は、引込んだ光ケーブル８を保持固定する光ファイバ固定部３０と、被覆を除いた光ファイバ８ａを巻付けて固定する光ファイバ巻取部３１とを備えている。
【００２５】
光電変換部６は、接続された光ファイバ８ａの光信号を電気信号に変換して出力端子７に出力するもので、ケース本体１にあらかじめ設置固定されている。出力端子７には同軸ケーブル（図示しない）を接続し、その同軸ケーブルが建物内部に引き込まれて、屋外に設置されている光ケーブル８からの信号を室内側に取り込むことができる。
【００２６】
次に、カバー体２をケース本体１に対して開閉自在とするヒンジ部３について詳細に説明する。図４にはケース本体１のヒンジ部３付近の拡大図を示す。図４ａはヒンジ部３の右側面図であって、図４ｂはヒンジ部３の平面図である。ケース本体１側には、その側面の上端部付近に円柱状に突出してなる回転軸１０を設けている。また、さらにその近傍には、回転軸１０より小さな突起状に形成されてなる押圧部１１と、細長状の突起として形成されてなるストッパ部１２とを設けている。
【００２７】
押圧部１１は、図４ｂに示すように、回転軸１０よりも低い高さに形成されるものであって、カバー体２の回動時にその側面を外方に押し広げて、カバー体２を円滑に回動させるようにするものである。また、ストッパ部１２は、押圧部１１と略同高さに形成されると共に、回転軸１０に対向する傾斜面からなる保持面１２ａを備えてなり、この保持面１２ａに開状態のカバー体２を当接させることで、その開状態を保持するものである。
【００２８】
また、図５にはカバー体２のヒンジ部３付近の拡大図を示す。図５ａはヒンジ部３の右側面図であって、図５ｂは図５ａのＡ−Ａ断面図である。カバー体２の側面の上端部には、上方及び背面側に向かって延びる延出片２０が形成されており、この延出片２０にヒンジ部３が形成されている。カバー体２側のヒンジ部３は、ケース本体１側のヒンジ部３に略適合するように形成されてなるもので、ケース本体１の回転軸１０に対応した位置には、延出片２０を貫通して形成される軸受孔２１を設け、カバー体２の閉状態における押圧部１１に対応した位置には、延出片２０を貫通して形成される閉保持部２２を設ける。本実施形態では、軸受孔２１と閉保持部２２は連続状に形成している。ただし、それぞれ独立して形成してもよい。
【００２９】
図５ａに示すように、延出片２０の背面側面は、カバー体２の閉状態においてストッパ部１２の保持面１２ａに当接するように、傾斜状に形成されている。また、延出片２０の上面は、カバー体２の閉状態において略水平となる被保持面２４を形成しており、カバー体２の開状態においてはストッパ部１２の保持面１２ａに当接し、保持される。被保持面２４をこのように形成することにより、カバー体２を開状態で確実にストッパ部１２により保持しておくことができる。また、カバー体２の閉状態において、延出片２０の上面を略水平状にすることで、延出片２０をコンパクトなものにすることができる。そして、この延出片２０の閉状態における被保持面２４とストッパ部１２の保持面１２ａとのなす角度によって、カバー体２の開閉動作における回転角度が決定される。本実施形態では、カバー体２の回転角度は約１２０°としている。
【００３０】
さらに、延出片２０のケース本体１との当接面には、軸受孔２１から周縁部に渡って肉厚を切欠いた薄肉部２３を形成している。薄肉部２３は、軸受孔２１と略同幅とされてなり、カバー体２をケース本体１に取付ける際に、薄肉部２３の周縁部から軸受孔２１に向かって回転軸１０を差込みやすくしている。また、図５ｂに示すように、薄肉部２３は延出片２０の周縁部から軸受孔２１に向かう上り傾斜の傾斜面に形成されてなる。このような傾斜面とすることにより、回転軸１０を一層差込みやすくできると共に、回転軸が一旦軸受孔２１に挿入されると、そこから外れにくくすることができる。
【００３１】
また、カバー体２の閉状態における薄肉部２３の下端部は、カバー体２を開状態とした場合におけるケース本体１の押圧部１１を収納できるように、閉保持部２２に対して、軸受孔２１を中心としてカバー体２の回転角度、すなわち１２０°の角度をなすように配置した開保持部２３ａを形成する。したがって、薄肉部２３はケース本体１の押圧部１１を納めることができる程度に延出片２０を切欠いてなるものである。以上のように閉保持部２２及び開保持部２３ａを形成すれば、押圧部１１はカバー体２の閉状態時には閉保持部２２に納められ、カバー体２の回動時には延出片２０をケース本体１から離間させて、カバー体２の開閉動作を円滑に行うことができると共に、カバー体２の開状態時には開保持部２３ａに納められることになって、カバー体２をストッパ部１２に保持しておくことができるようになる。
【００３２】
次に、カバー体２の開閉動作について、順を追って詳細に説明する。図６は、カバー体２の閉状態におけるヒンジ部３の拡大図である。また、図７はカバー体２の開閉動作中の図であって、図８はカバー体２の開状態の図である。まず、図６に示すカバー体２の閉状態について説明する。図６ａは、ヒンジ部３の側面図であって、図６ｂは、ヒンジ部３の正面図である。これらの図に示すように、カバー体２の閉状態では、カバー体２の延出片２０はケース本体１の側面に当接しており、またケース本体１の押圧部１１は、カバー体２の延出片２０に設けられた閉保持部２２に納められている。さらに、延出片２０の背面側面は、ケース本体１に設けられたストッパ部１２の保持面１２ａに当接している。
【００３３】
図７ａには、カバー体２を閉状態から開く方向に回動させた場合の側面図を示す。また、図７ｂにはその状態における正面図を示す。これら各図に示すように、カバー体２を回動させると、ケース本体１の押圧部１１は、カバー体２の閉保持部２２から外れ、延出片２０の側面は押圧部１１によって外方に押し広げられて、ケース本体１の側面から離間される。それと同時に延出片２０はケース本体１の側面に突起状に形成されたストッパ部１２に乗上げる。このようにすれば、カバー体２をストッパ部１２に干渉されることなく、回転軸１０を中心に回動させることができる。
【００３４】
図８ａには、カバー体２を開状態とした際の側面図を示す。また、図８ｂにはその状態における正面図を示す。図８ａに示すようにカバー体２を閉状態から１２０°回動させ、開状態とすると、ケース本体１の押圧部１１は、カバー体２の薄肉部２３の端部である開保持部２３ａに納められる。また、図８ｂに示すように、それと同時に延出片２０は閉状態の場合と同様にケース本体１の側面に当接する。これに伴い、延出片２０の被保持面２４は、ストッパ部１２の保持面１２ａに当接し、カバー体２はストッパ部１２によって自重により閉まらないように保持される。さらに、開保持部２３ａに納められた押圧部１１によっても、カバー体２は保持されている。この光ファイバ収納ケースは、建物の室外壁面に取付けられるものなので、光ファイバの収納作業を行う場合にカバー体２を開状態としたまま保持することで、作業性を向上させることができる。
【００３５】
カバー体２を開状態から閉じる場合には、図８の状態からカバー体２を押し下げることで、押圧部１１は開保持部２３ａから外れて延出片２０を外方に押し広げ、それと同時に延出片２０はケース本体１のストッパ部１２に乗上げて、カバー体２を回動自在の状態にすることができる。すなわち、再び図７の状態になる。さらにカバー体２を閉じれば、カバー体２は図６に示す閉状態となり、押圧部１１は閉保持部２２に納められて、それと同時に延出片２０はケース本体１の側面に当接する。
【００３６】
このようにカバー体２の閉状態と開状態では、ケース本体１の押圧部１１がそれぞれ閉保持部２２または開保持部２３ａに納められ、その中間状態であるカバー体２が回動している状態では、押圧部１１は延出片２０を外方に押し広げ、延出片２０をケース本体１のストッパ部１２に乗上げさせることにより、カバー体２を開状態では自重で閉まらないように保持することができると共に、カバー体２の開閉動作は円滑に行うことができる。また、カバー体２を開状態で固定させるのに、開閉動作以外の特別な操作を行う必要がないので、作業性を更に向上させることができる。
【００３７】
以上、本発明の実施形態について説明したが、本発明の適用は本実施形態に限られるものではなく、その技術的思想の範囲内において様々に適用されうるものである。例えば、本実施形態ではヒンジ部３において、回転軸１０をケース本体１に、軸受孔２１をカバー体２に設けているが、逆に回転軸１０をカバー体２に、軸受孔２１をケース本体１に設けるようにしてもよい。また、押圧部１１と閉保持部２２及び開保持部２３ａの位置についても、互いの位置関係が上述のようになっていれば、ヒンジ部３において様々に配置することができる。
【図面の簡単な説明】
【００３８】
【図１】本実施形態における光ファイバ収納ケースの正面図である。
【図２】本実施形態における光ファイバ収納ケースの右側面図である。
【図３】光ファイバ収納ケースの開状態における正面図である。
【図４】ケース本体のヒンジ部付近拡大図である。
【図５】カバー体のヒンジ部付近拡大図である。
【図６】カバー体の閉状態におけるヒンジ部の拡大図である。
【図７】カバー体を開閉動作中におけるヒンジ部の拡大図である。
【図８】カバー体の開状態におけるヒンジ部の拡大図である。
【符号の説明】
【００３９】
１    ケース本体
２    カバー体
３    ヒンジ部
８    光ケーブル
８ａ  光ファイバ
１０    回転軸
１１    押圧部
１２    ストッパ部
１２ａ  保持面
２０    延出片
２１    軸受孔
２２    閉保持部
２３    薄肉部
２３ａ  開保時部
２４    被保持面
【図１】
2005070515.tif 000003
【図２】
2005070515.tif 000004
【図３】
2005070515.tif 000005
【図４】
2005070515.tif 000006
【図５】
2005070515.tif 000007
【図６】
2005070515.tif 000008
【図７】
2005070515.tif 000009
【図８】
2005070515.tif 000010